(57)【要約】【課題】採光性とシンプルなデザインを両立させると共に、プライバシー性にも配慮したドアを提供する。【解決手段】表面板２と裏面板３とを有するパネル状のドア本体１からなり、ドア本体１は開閉動作のための操作部６を有すると共に開口部１５を備え、開口部１５には枠体２０内に透光性のパネル体２１を納めてなる小窓８が設置され、操作部６は、ドア本体１に固定される基部３０と、基部３０に対して取付けられる把手部３１とを備え、把手部３１はドア本体１の表面と対向し、小窓８はドア本体１の表裏方向に光を透過させる透過領域２３を備え、透過領域２３は操作部６の把手部３１と対向する領域範囲内にある。【選択図】図４
2012097432.tif 000002
【特許請求の範囲】
【請求項１】
表面板と裏面板とを有するパネル状のドア本体からなり、該ドア本体は開閉動作のための操作部を有すると共に開口部を備え、該開口部には枠体内に透光性のパネル体を納めてなる小窓が設置されるドアにおいて、
前記操作部は、前記ドア本体に固定される基部と、該基部に対して取付けられる把手部とを備え、該把手部は前記ドア本体の表面と対向し、
前記小窓は前記ドア本体の表裏方向に光を透過させる透過領域を備え、該透過領域は前記操作部の把手部と対向する領域範囲内にあることを特徴とするドア。
【請求項２】
前記操作部は前記ドア本体の少なくとも表面板側に設けられて前記把手部が透過領域と対向することを特徴とする請求項１記載のドア。
【請求項３】
前記操作部は前記ドア本体の裏面板側に設けられ、該裏面板側の操作部に設けられる把手部は、前記表面板側の操作部に設けられる把手部と略同形状で互いに対向する同位置に配置されることを特徴とする請求項２記載のドア。
【請求項４】
前記表面板と裏面板は対向した状態における同一領域が開口して前記開口部を構成し、該開口部の略全領域が前記透過領域となることを特徴とする請求項１〜３のいずれか１項に記載のドア。
【請求項５】
前記透過領域は前記把手部と対向する領域範囲中、下方に偏った領域範囲を占めることを特徴とする請求項１〜４のいずれか１項に記載のドア。
【請求項６】
前記操作部は施錠操作部を備え、前記透過領域は前記施錠操作部近傍に配置されることを特徴とする請求項１〜５のいずれか１項に記載のドア。
【請求項７】
前記操作部の把手部は操作に伴い前記基部に対して可動であり、前記透過領域は前記把手部の非操作時における対向領域範囲内にあることを特徴とする請求項１〜６のいずれか１項に記載のドア。
【発明の詳細な説明】
【技術分野】
【０００１】
本発明は、建物の玄関や部屋の入口に設置されるパネル状のドアに関し、特に室外側から採光可能となるように小窓を設けてなるドアに関する。
【背景技術】
【０００２】
建物の玄関や部屋の入口に設置されるドアは、パネル状に形成されてなるドア本体からなり、このドア本体が開口部に対し開閉自在に取付けられる。ドアは、様々なデザインや機能を備えたものが知られているが、その中で、ドア本体に開口部を形成し、開口部に小窓を設けることにより、採光を可能としたドアが知られている。
【０００３】
ドアに設けられる小窓は、透光性を有するパネル体を枠体で保持してなるものであり、これによって採光性が得られると共に、デザイン上のアクセントにもなる。このような小窓を備えたドアとしては、例えば特許文献１に挙げるようなものがある。
【先行技術文献】
【特許文献】
【０００４】
【特許文献１】特開２００８−２９７７８４号公報
【発明の概要】
【発明が解決しようとする課題】
【０００５】
ドアに設けられる小窓は、光を透過させるため、室外側から室内側を視認できる。小窓に設けられるパネル体を、例えば磨りガラスとすること等により、直接視認されることは防ぐことができるものの、室外側から室内側の様子をある程度認識することはできる。このため、プライバシー性の点から小窓を備えたドアが選択されないことがあった。
【０００６】
また、小窓が設置されていると、デザイン上、大きく目を惹く部分となるため、シンプルなデザインを求める場合にも、小窓を備えたドアが選択されないことがあった。このようにシンプルなデザインを求めつつ、採光性も求める要望に、従来のドアでは応えることができなかった。
【０００７】
本発明は前記課題を鑑みてなされたものであり、採光性とシンプルなデザインを両立させると共に、プライバシー性にも配慮したドアを提供することを目的とする。
【課題を解決するための手段】
【０００８】
前記課題を解決するため、本発明に係るドアは、表面板と裏面板とを有するパネル状のドア本体からなり、該ドア本体は開閉動作のための操作部を有すると共に開口部を備え、該開口部には枠体内に透光性のパネル体を納めてなる小窓が設置されるドアにおいて、
前記操作部は、前記ドア本体に固定される基部と、該基部に対して取付けられる把手部とを備え、該把手部は前記ドア本体の表面と対向し、
前記小窓は前記ドア本体の表裏方向に光を透過させる透過領域を備え、該透過領域は前記操作部の把手部と対向する領域範囲内にあることを特徴として構成されている。
【０００９】
また、本発明に係るドアは、前記操作部は前記ドア本体の少なくとも表面板側に設けられて前記把手部が透過領域と対向することを特徴として構成されている。
【００１０】
さらに、本発明に係るドアは、前記操作部は前記ドア本体の裏面板側に設けられ、該裏面板側の操作部に設けられる把手部は、前記表面板側の操作部に設けられる把手部と略同形状で互いに対向する同位置に配置されることを特徴として構成されている。
【００１１】
さらにまた、本発明に係るドアは、前記表面板と裏面板は対向した状態における同一領域が開口して前記開口部を構成し、該開口部の略全領域が前記透過領域となることを特徴として構成されている。
【００１２】
そして、本発明に係るドアは、前記透過領域は前記把手部と対向する領域範囲中、下方に偏った領域範囲を占めることを特徴として構成されている。
【００１３】
また、本発明に係るドアは、前記操作部は施錠操作部を備え、前記透過領域は前記施錠操作部近傍に配置されることを特徴として構成されている。
【００１４】
さらに、本発明に係るドアは、前記操作部の把手部は操作に伴い前記基部に対して可動であり、前記透過領域は前記把手部の非操作時における対向領域範囲内にあることを特徴として構成されている。
【発明の効果】
【００１５】
本発明に係るドアによれば、小窓はドア本体の表裏方向に光を透過させる透過領域を備え、透過領域は操作部の把手部と対向する領域範囲内にあることにより、透過領域から出射された光により把手部の裏側を照らしつつ、ドア本体の室外側から室内側を見ることができないようにすることができるので、シンプルなデザインでプライバシー性に配慮しつつ、採光により意匠性を高めると共に、把手部を照らして開閉操作をしやすいようにすることができる。
【００１６】
また、本発明に係るドアによれば、操作部はドア本体の少なくとも表面板側に設けられて把手部が透過領域と対向することにより、少なくともドア本体の表面板側から小窓を介してドア本体の裏面板側が直接見えないようにすることができる。
【００１７】
さらに、本発明に係るドアによれば、操作部はドア本体の裏面板側に設けられ、裏面板側の操作部に設けられる把手部は、表面板側の操作部に設けられる把手部と略同形状で互いに対向する同位置に配置されることにより、ドア本体の両側からそれぞれ反対側が直接見えないようにすることができるので、プライバシー性をさらに高めると共に、デザインもドア本体の両面において同様とできるので、よりシンプルで意匠性を高くすることができる。
【００１８】
さらにまた、本発明に係るドアによれば、表面板と裏面板は対向した状態における同一領域が開口して開口部を構成し、開口部の略全領域が透過領域となることにより、小窓として開口部と同等の大きさのものを採用でき、簡易な構造で透過領域を構成することができる。
【００１９】
そして、本発明に係るドアによれば、透過領域は把手部と対向する領域範囲中、下方に偏った領域範囲を占めることにより、把手部付近を上方から見た場合に、透過領域が直接見えにくいようにすることができる。
【００２０】
また、本発明に係るドアによれば、操作部は施錠操作部を備え、透過領域は施錠操作部近傍に配置されることにより、ドア本体の一方側が暗い場合でも、施錠操作部を視認しやすくして、ドアの施錠操作を容易にすることができる。
【００２１】
さらに、本発明に係るドアによれば、操作部の把手部は操作に伴い基部に対して可動であり、透過領域は把手部の非操作時における対向領域範囲内にあることにより、把手部がどのような動作をするものであっても、確実にプライバシー性を確保できるので、把手部のパターンを様々に設定することができる。
【図面の簡単な説明】
【００２２】
【図１】第１の実施形態におけるドアの正面図である。
【図２】図１のＡ−Ａ断面図である。
【図３】図１のＢ−Ｂ断面図である。
【図４】図２のうち小窓付近の拡大図である。
【図５】図３のうち小窓付近の拡大図である。
【図６】ドア本体の開口部とパネル体及び操作部の関係を表した模式図である。
【図７】図４の状態から把手部を操作時に引き上げた状態とした断面図である。
【図８】第２の実施形態におけるドアの正面図である。
【図９】図８のＡ−Ａ断面図である。
【図１０】図８のＢ−Ｂ断面図である。
【図１１】別の形態のドアの横断面図であって、採光窓付近の拡大図である。
【発明を実施するための形態】
【００２３】
本発明の実施形態について図面に沿って詳細に説明する。図１には、第１の実施形態におけるドアの正面図を示している。この図に示すように、本実施形態のドアは、方形板状に形成されてなるドア本体１を有してなるものであり、主に建物の玄関ドアとして用いられるものである。図１は、ドア本体１を室外側から見た図であるが、内観もほぼ同様である。
【００２４】
ドア本体１には、室外側面に方形横長状の把手部３１を有する操作部６が取付けられている。操作部６は、把手部３１を手で掴んでドア本体１の開閉動作をなすために設けられるものである。ドア本体１における把手部３１の裏側の領域には、透過領域２３を備える小窓８が取付けられている。また、ドア本体１の一側には、操作部６の上下にそれぞれ施錠操作部７が設けられる。施錠操作部７は、ドア本体１をロックする操作を行うために設けられる。
【００２５】
図２には図１のＡ−Ａ断面図を、図３には図１のＢ−Ｂ断面図を、それぞれ示している。これら各図に示すように、ドア本体１は、四方周囲を取り囲むように枠組みされたフレーム体５を備え、フレーム体５の室外面には表面板２が、フレーム体５の室内面には裏面板３が、それぞれ取付けられてドア本体１の両面を構成している。また、ドア本体１の内部には、充填材４が充填されている。
【００２６】
前述のように、ドア本体１の表面板２側と裏面板３側には、それぞれ操作部６が取付けられている。ドア本体１両面の各操作部６は、同位置に略同形状のものが設けられている。操作部６は、ドア本体１の両側に固定される基部３０と、基部３０に対して操作自在となるように取付けられる把手部３１とからなっている。把手部３１は、図１に示すように横長方形状に形成されており、これをドア本体１の表面板２と裏面板３にそれぞれ投影した領域は、室内外からそれぞれ直接見えない領域となる。
【００２７】
図３に示すように、ドア本体１の開閉における回動中心側となる一方の縦辺には、ドア本体１と開閉自在とするためのヒンジ部１３が設けられる。また、ドア本体１の開閉における戸先側となる他方の縦辺には、略Ｌ字状の突出部１４ａを有する戸先部材１４が設けられる。
【００２８】
ドア本体１には、表面板２と裏面板３の同一領域がそれぞれ開口した開口部１５が形成されており、この開口部１５に小窓８が設けられる。小窓８は、図２に示すように、操作部６が設けられる高さ位置に配置され、図３に示すように、操作部６のうち戸先側の端部側寄りの位置に配置される。図４には図２のうち小窓８付近の拡大図を、図５には図３のうち小窓８付近の拡大図を、それぞれ示している。
【００２９】
図４及び図５に示すように、ドア本体１を構成する表面板２と裏面板３は、それぞれ同一領域が開口して開口部１５を形成している。この開口部１５よりも外周側のドア本体１内部に、上枠２０ａと下枠２０ｂ及び左右の縦枠２０ｃを方形状に枠組みしてなる枠体２０が納められている。枠体２０内には、透光性のガラス体からなるパネル体２１が納められている。枠体２０は、室外面が表面板２の裏側に当接して接着固定されており、一方で室内面がスペーサー２６を介して裏面板３の裏側に当接して接着固定されている。
【００３０】
枠体２０を構成する上枠２０ａと下枠２０ｂ及び縦枠２０ｃは、それぞれ内周側が長手方向に沿って凹状のパネル挟持部２４とされており、このパネル挟持部２４にパネル体２１の周縁部が納められ、挟持固定されている。パネル挟持部２４のうちパネル体２１の室外側面を挟持する部分には、押縁部材２５が設けられており、これがパネル体２１に当接している。
【００３１】
小窓８は、ドア本体１の開口部１５の領域にパネル体２１が配置されているので、当該領域が光を室内外に透過させる透過領域２３となっている。この透過領域２３が、操作部６のドア本体１と対向する把手部３１を、ドア本体１の表面に投影した領域内に納まるように配置されているので、透過領域２３は把手部３１と対向し、ドア本体１の室内側及び室外側に直接は露出しない。
【００３２】
ドア本体１の一方側から入射する光は、透過領域２３を介してドア本体１の他方側に出射されるが、透過領域２３は把手部３１と対向する領域範囲内にあるので、透過領域２３から出射された光は、把手部３１の裏側を照らし、ドア本体１の他方側においては、把手部３１が照らされた間接光のみを見ることができる。また、透過領域２３が把手部３１と対向する領域にあるため、ドア本体１の室外側から室内側を見ることができない。このように、小窓８により採光をしつつ、ドア本体１の室内外方向に直接光が透過しないようにしているので、プライバシー性に配慮しつつ採光により意匠性を高めると共に、操作部６の把手部３１を照らして開閉操作をしやすいようにすることができる。
【００３３】
図３に示すように、小窓８はドア本体１の左右方向中央よりも戸先側寄りに配置されている。ドア本体１の開閉操作においては、回動中心となるヒンジ部１３側ではなく、把手部３１の戸先側を持って操作するから、小窓８により操作を行う部分付近を照らして、室内側が暗い場合でも確実にドア本体１の開閉操作が行えるようにすることができる。
【００３４】
図４に示すように、小窓８の透過領域２３は、ドア本体１が把手部３１と対向する領域のうち下方寄りに配置されている。操作部６は、ドア本体１において手で操作しやすい位置に配置されるから、通常、小窓８は上方から覗き込まれることになるが、透過領域２３がこのような配置となっていることにより、上方から見えにくいようにすることができ、プライバシー性の確保をより確実なものとすることができると共に、小窓８が見えにくいため、意匠性も向上させることができる。
【００３５】
図４に示す形態では、ドア本体１の表面板２と裏面板３の同位置同形状の領域がそれぞれ開口して開口部１５を形成しているため、開口部１５の上下方向幅がほぼそのまま透過領域２３の上下方向幅となっている。一方で、小窓８における透過領域２３は、ドア本体１の開口部１５の設け方によって、様々に設定されうる。図６には、ドア本体１の開口部１５とパネル体２１及び操作部６の関係を表した模式図を示している。
【００３６】
図６（ａ）では、裏面板３側の開口は、ドア本体１において裏面板３側の把手部３１と対向する領域範囲内に納まるように形成されている。一方、表面板２側の開口は、ドア本体１において表面板２側の把手部３１と対向する領域よりも下方にまで渡るように形成されている。この場合、表面板２側の開口と裏面板３側の開口とで、ドア本体１の表裏方向に重なり合う領域が、ドア本体１の表裏方向に光を透過させる透過領域２３となる。そして、この透過領域２３は、表面板２側の把手部３１と裏面板３側の把手部３１のいずれについても、対向する領域範囲内に納まるように設定されている。
【００３７】
表面板２の把手部３１と対向する領域から外れた開口部分は、本発明で規定される透過領域２３には含まれないが、表面板２側においてより多くの光を取り込み、裏面板３側において把手部３１をより明るく照らすことができる。
【００３８】
図６（ｂ）では、裏面板３側の開口は図６（ａ）と同様であるが、表面板２側の開口は、上端位置が裏面板３側の開口の上端よりも下方にあって、下端位置も裏面板３側の開口の下端よりも下方にある。この場合においても、表面板２側の開口と裏面板３側の開口とで、ドア本体１の表裏方向に重なり合う領域が、ドア本体１の表裏方向に光を透過させる透過領域２３となる。そして、この透過領域２３は、表面板２側の把手部３１と裏面板３側の把手部３１のいずれについても、対向する領域範囲内に納まるように設定されている。
【００３９】
このように、小窓８の透過領域２３は、表面板２側の開口と裏面板３側の開口の位置及び大きさにより、様々に変更できるが、いずれにおいても把手部３１と対向するドア本体１の領域範囲に納まるように設定される。これによって、プライバシー性を確実に持たせることができるし、また、少なくともドア本体１の一方側において間接光による視覚的効果を得ることができる。
【００４０】
また、操作部６を構成する把手部３１は、ドア本体１の開閉操作に伴い、基部３０に対して可動となるように構成されている。図７には、図４の状態から把手部３１を操作時に引き上げた状態とした断面図を示している。この図では、把手部３１が上側を支点として回動した状態を表している。このとき、把手部３１をドア本体１に投影した領域、すなわちドア本体１において把手部３１と対向する領域範囲は、把手部３１の操作前よりも小さくなる。
【００４１】
このため、図７の状態においては、小窓８の透過領域２３が、ドア本体１の把手部３１と対向する領域範囲外も占めることとなるが、操作部６を操作しているときだけしか図７の状態とはならないし、また、把手部３１を照らす必要があるのも、操作部６の非操作状態のときであるので、通常の状態である操作部６の非操作状態のときに、透過領域２３がドア本体１の把手部３１と対向する領域範囲内にあるようにしていればよい。
【００４２】
小窓８は、前述のようにドア本体１の戸先側寄りに配置されるので、透過領域２３はドア本体１の施錠操作部７に近い位置に配置されることとなる。これにより、透過領域２３からの間接光により施錠操作部７も照らすことができ、施錠操作部７をより確実に視認できるようにすることができる。一方で、ドア本体１の内部には、施錠操作部７の操作に伴いドア本体１の側部からロック部を出没させる機構を備えている（図示しない）が、小窓８はこの機構とは干渉しない位置範囲に設けられる。これにより、ドア本体１の構造を簡易なものとすることができる。
【００４３】
次に、本発明の第２の実施形態について説明する。図８には、第２の実施形態におけるドアの正面図を示している。この図に示すように、第２の実施形態のドアは、ドア本体１の左右方向一方側に、縦長スリット状の採光窓９が設けられている。その他の点は、第１の実施形態と同様であるので、説明を省略する。
【００４４】
図９には図８のＡ−Ａ断面図を、図１０には図８のＢ−Ｂ断面図を、それぞれ示している。これらの図に示すように、採光窓９は小窓８と位置及び大きさが異なるが、構造は概ね同様である。すなわち、採光窓９は、枠体４０内にパネル体４１を納めてなる。
【００４５】
表面板２には、採光窓９による開口の領域を含む上下略全長に渡ってこれを覆う保護パネル４３が、取付部４４を介して取付けられている。保護パネル４３は、パネル体４１よりも透光性の低い部材であり、室外側となる表面板２に設けられることで、ドア本体１の室内側が室外側に直接露出しないようにしている。
【００４６】
図１１には、別の形態のドアの横断面図であって、採光窓９付近の拡大図を示している。この図に示すように、保護パネル４３を表面板２の表面側に設けるのではなく、ドア本体１の内部に埋め込むように構成してもよい。これにより、把手部３１の可動範囲が大きい場合にも、把手部３１と保護パネル４３が干渉しないようにすることができる。
【００４７】
以上、本発明の実施形態について説明したが、本発明の適用はこれらの実施形態には限られず、その技術的思想の範囲内において様々に適用されうるものである。例えば、小窓８の大きさ、配置及び数は、これら実施形態には限られない。小窓８がより横長であってもよいし、図３よりもヒンジ部１３寄りに配置されてもよい。また、小窓８が把手部３１の長手方向に複数設けられてもよい。さらには、小窓８の形状も、方形状には限られず、円形やその他多角形状のものであってもよい。
【００４８】
また、把手部３１の構成もこれらの実施形態には限られない。第１及び第２の実施形態で、把手部３１は、ドア本体１の左右方向略全長に渡る横長状に形成されているが、ドア本体１の縦方向に伸びる縦長状のものであってもよい。また、第１及び第２の実施形態における把手部３１は、ドア本体１の表面に対して直交する平面内で回動自在となるように構成されているが、ドア本体１の表面と平行な平面内で回動自在なものであってもよい。
【符号の説明】
【００４９】
１    ドア本体
２    表面板
３    背面板
４    充填材
５    フレーム体
６    操作部
７    施錠操作部
８    小窓
１３    ヒンジ部
１４    戸先部材
１５    開口部
２０    枠体
２１    パネル体
２３    透過領域
２４    パネル挟持部
３０    基部
３１    把手部
【図１】
2012097432.tif 000003
【図２】
2012097432.tif 000004
【図３】
2012097432.tif 000005
【図４】
2012097432.tif 000006
【図５】
2012097432.tif 000007
【図６】
2012097432.tif 000008
【図７】
2012097432.tif 000009
【図８】
2012097432.tif 000010
【図９】
2012097432.tif 000011
【図１０】
2012097432.tif 000012
【図１１】
2012097432.tif 000013